(57)【特許請求の範囲】
【請求項１】
直交周波数分割多重方式で変調された入力信号に対して所定の復調処理を実施することで、前記入力信号に含まれるＴＭＣＣ信号を検出する復調部と、
前記ＴＭＣＣ信号中のＴＭＣＣ情報を誤り訂正して出力するとともに、誤り訂正の成否を判断する誤り訂正部と、
前記誤り訂正部から出力されたＴＭＣＣ情報のうち第１カウントダウン信号に基づいて、カウントダウンが開始されたか否かを推定する推定部と、
第２カウントダウン信号を生成する信号生成部と、
パラメータの更新に実際に使用される第３カウントダウン信号として、前記第１および第２カウントダウン信号のいずれかを出力する出力部とを備え、
前記信号生成部は、前記推定部によりカウントダウンが開始されたと推定されたときに前記第１カウントダウン信号の値を前記第２カウントダウン信号の値の初期値として取得し、フレームに同期して前記第２カウントダウン信号の値を前記初期値から順次減少させ、
前記出力部は、前記推定部によりカウントダウンが開始されたと推定されたときに、前記第３カウントダウン信号として出力する信号を、前記第１カウントダウン信号から前記第２カウントダウン信号に切り換えることを特徴とするＯＦＤＭ復調装置。
【請求項２】
直交周波数分割多重方式で変調された入力信号に対して所定の復調処理を実施することで、前記入力信号に含まれるＴＭＣＣ信号を検出する復調部と、
前記ＴＭＣＣ信号中のＴＭＣＣ情報を誤り訂正して出力するとともに、誤り訂正の成否を判断する誤り訂正部と、
前記誤り訂正部から出力されたＴＭＣＣ情報のうち第１カウントダウン信号に基づいて、カウントダウンが開始されたか否かを推定する推定部と、
パラメータの更新に実際に使用される第２カウントダウン信号を生成する信号生成部とを備え、
前記信号生成部は、前記推定部によりカウントダウンが開始されたと推定されたときに前記第１カウントダウン信号の値を前記第２カウントダウン信号の値の初期値として取得し、フレームに同期して前記第２カウントダウン信号の値を前記初期値から順次減少させ、
前記推定部は、フレームに同期して前記第１カウントダウン信号の値を所定数だけ順次蓄積し、前記第１カウントダウン信号の現在値と過去値との差分に基づいて、カウントダウンが開始されたか否かを推定することを特徴とするＯＦＤＭ復調装置。
【請求項３】
請求項１記載のＯＦＤＭ復調装置において、
前記推定部は、フレームに同期して前記第１カウントダウン信号の値を所定数だけ順次蓄積し、前記第１カウントダウン信号の現在値と過去値との差分に基づいて、カウントダウンが開始されたか否かを推定することを特徴とするＯＦＤＭ復調装置。
【請求項４】
請求項２または請求項３記載のＯＦＤＭ復調装置において、
前記推定部は、前記第１カウントダウン信号の現在値との差分が正しい過去値の数が閾値以上である場合に、カウントダウンが開始されたと推定することを特徴とするＯＦＤＭ復調装置。
【請求項５】
請求項１または請求項２記載のＯＦＤＭ復調装置において、
前記推定部によりカウントダウンが開始されたと推定された後、前記第１カウントダウン信号の値と前記第２カウントダウン信号の値とを比較し、双方が一致しない場合に前記誤り訂正部から出力されたＴＭＣＣ情報は誤っていると判断する判断部を備えることを特徴とするＯＦＤＭ復調装置。
【請求項６】
直交周波数分割多重方式で変調された入力信号に対して所定の復調処理を実施することで、前記入力信号に含まれるＴＭＣＣ信号を検出する復調部と、
前記ＴＭＣＣ信号中のＴＭＣＣ情報を誤り訂正して出力するとともに、誤り訂正の成否を判断する誤り訂正部と、
前記誤り訂正部から出力されたＴＭＣＣ情報のうち第１カウントダウン信号に基づいて、カウントダウンが開始されたか否かを推定する推定部と、
パラメータの更新に実際に使用される第２カウントダウン信号を生成する信号生成部と、
前記推定部によりカウントダウンが開始されたと推定された後、前記第１カウントダウン信号の値と前記第２カウントダウン信号の値とを比較し、双方が一致しない場合に前記誤り訂正部から出力されたＴＭＣＣ情報は誤っていると判断する判断部とを備え、
前記信号生成部は、前記推定部によりカウントダウンが開始されたと推定されたときに前記第１カウントダウン信号の値を前記第２カウントダウン信号の値の初期値として取得し、フレームに同期して前記第２カウントダウン信号の値を前記初期値から順次減少させることを特徴とするＯＦＤＭ復調装置。
【発明の詳細な説明】
【技術分野】
【０００１】
本発明は、直交周波数分割多重（ＯＦＤＭ：Orthogonal Frequency Division Multiplex）方式に従って変調された信号を復調するＯＦＤＭ復調装置に関する。
【背景技術】
【０００２】
ＯＦＤＭ方式で変調された放送信号を送受信する地上ディジタル放送において、放送信号に重畳されているＴＭＣＣ（Transmission and Multiplexing Configuration Control）信号は、伝送パラメータ切換指標（カウントダウン信号）、キャリア変調方式、畳み込み符号化率、インタリーブ長やセグメント数等を指示するＴＭＣＣ情報（符号化部分）を含んでいる。ＴＭＣＣ情報のうちカウントダウン信号の値は、通常時には”１５”であり、パラメータ切換タイミングの１５フレーム前からフレーム毎に１ずつ減算される。
【０００３】
受信側に設けられるＯＦＤＭ復調装置では、まず、受信した放送信号を高速フーリエ変換（ＦＦＴ：Fast Fourier Transform）して得られた信号に対してＤＢＰＳＫ（Double Binary Phase Shift Keying）方式の復調処理が実施され、ＴＭＣＣ信号が検出される。そして、ＴＭＣＣ信号中のＴＭＣＣ情報に対して差集合巡回符号（２７３，１９１）の短縮符号（１８４，１０２）を使用した誤り訂正処理が実施されるとともに、誤り訂正の成否が判断される。誤り訂正処理により得られたＴＭＣＣ情報は、誤り訂正成功と判断された場合にのみ、パラメータの更新に利用される（例えば、特許文献１参照）。
【特許文献１】特開２０００−２７８２４４号公報
【発明の開示】
【発明が解決しようとする課題】
【０００４】
ＯＦＤＭ復調装置では、受信状態の劣化に伴うＴＭＣＣ信号中のＴＭＣＣ情報におけるエラー数の増加等に起因して、誤り訂正成功と判断されたにも拘わらず、誤り訂正処理により得られたＴＭＣＣ情報が実際には誤っている場合がある。誤り訂正成功と判断されたにも拘わらず、誤り訂正処理により得られたＴＭＣＣ情報のうちカウントダウン信号が誤っている場合が存在すると、パラメータの更新タイミングにずれが生じてＯＦＤＭ復調装置が誤動作してしまう可能性がある。
【０００５】
本発明は、このような問題点に鑑みてなされたものであり、パラメータの更新を正しいタイミングで確実に実施し、ＯＦＤＭ復調装置の誤動作を防止することにある。
【課題を解決するための手段】
【０００６】
本発明の一態様では、ＯＦＤＭ復調装置は、直交周波数分割多重方式で変調された入力信号に対して所定の復調処理を実施することで、入力信号に含まれるＴＭＣＣ信号を検出する復調部と、ＴＭＣＣ信号中のＴＭＣＣ情報を誤り訂正して出力するとともに、誤り訂正の成否を判断する誤り訂正部と、誤り訂正部から出力されたＴＭＣＣ情報のうち第１カウントダウン信号に基づいて、カウントダウンが開始されたか否かを推定する推定部と、第２カウントダウン信号を生成する信号生成部と、パラメータの更新に実際に使用される第３カウントダウン信号として、第１および第２カウントダウン信号のいずれかを出力する出力部とを備える。信号生成部は、推定部によりカウントダウンが開始されたと推定されたときに第１カウントダウン信号の値を第２カウントダウン信号の値の初期値として取得し、フレームに同期して第２カウントダウン信号の値を初期値から順次減少させる。出力部は、推定部によりカウントダウンが開始されたと推定されたときに、第３カウントダウン信号として出力する信号を、第１カウントダウン信号から第２カウントダウン信号に切り換える。
本発明に関連する第１技術では、ＯＦＤＭ復調装置は、復調部、誤り訂正部、推定部、信号生成部および出力部を備えて構成される。復調部は、直交周波数分割多重方式で変調された入力信号に対して所定の復調処理を実施することで、入力信号に含まれるＴＭＣＣ信号を検出する。誤り訂正部は、復調部により検出されたＴＭＣＣ信号中のＴＭＣＣ情報を誤り訂正して出力するとともに、誤り訂正の成否を判断する。推定部は、誤り訂正部から出力されたＴＭＣＣ情報のうち第１カウントダウン信号に基づいて、カウントダウンが開始されたか否かを推定する。信号生成部は、第２カウントダウン信号を生成する。信号生成部は、推定部によりカウントダウンが開始されたと推定されたときに第１カウントダウン信号の値を第２カウントダウン信号の値の初期値として取得し、フレームに同期して第２カウントダウン信号の値を初期値から順次減少させる。出力部は、パラメータの更新に実際に使用される第３カウントダウン信号として、第１および第２カウントダウン信号のいずれかを出力する。出力部は、推定部によりカウントダウンが開始されたと推定されたときに、第３カウントダウン信号として出力する信号を、第１カウントダウン信号から第２カウントダウン信号に切り換える。
【０００７】
以上のような第１技術では、推定部によりカウントダウンが開始されたと推定された後、信号生成部により生成された第２カウントダウン信号がパラメータの更新に使用される。このため、誤り訂正部により誤り訂正成功と判断されたにも拘わらず、第１カウントダウン信号が誤っている場合が存在しても、パラメータの更新を正しいタイミングで確実に実施でき、ＯＦＤＭ復調装置の誤動作を防止できる。
【０００８】
本発明に関連する第２技術では、ＯＦＤＭ復調装置は、復調部、誤り訂正部、推定部および信号生成部を備えて構成される。復調部は、直交周波数分割多重方式で変調された入力信号に対して所定の復調処理を実施することで、入力信号に含まれるＴＭＣＣ信号を検出する。誤り訂正部は、復調部により検出されたＴＭＣＣ信号中のＴＭＣＣ情報を誤り訂正して出力するとともに、誤り訂正の成否を判断する。推定部は、誤り訂正部から出力されたＴＭＣＣ情報のうち第１カウントダウン信号に基づいて、カウントダウンが開始されたか否かを推定する。信号生成部は、パラメータの更新に実際に使用される第２カウントダウン信号を生成する。信号生成部は、推定部によりカウントダウンが開始されたと推定されたときに第１カウントダウン信号の値を第２カウントダウン信号の値の初期値として取得し、フレームに同期して第２カウントダウン信号の値を初期値から順次減少させる。
【０００９】
以上のような第２技術では、信号生成部により生成された第２カウントダウン信号が常にパラメータの更新に使用される。このため、誤り訂正部により誤り訂正成功と判断されたにも拘わらず、第１カウントダウン信号が誤っている場合が存在しても、パラメータの更新を正しいタイミングで確実に実施でき、ＯＦＤＭ復調装置の誤動作を防止できる。
本発明に関連する第１および第２技術における好ましい例では、推定部は、フレームに同期して第１カウントダウン信号の値を所定数だけ順次蓄積し、第１カウントダウン信号の現在値と過去値との差分に基づいて、カウントダウンが開始されたか否かを推定する。例えば、推定部は、第１カウントダウン信号の現在値との差分が正しい過去値の数が閾値以上である場合に、カウントダウンが開始されたと推定する。これにより、カウントダウンが開始されたか否かを容易に推定できる。
【００１０】
本発明に関連する第１および第２技術における好ましい例では、ＯＦＤＭ復調装置は、更に判断部を備えて構成される。判断部は、推定部によりカウントダウンが開始されたと推定された後、第１カウントダウン信号の値と第２カウントダウン信号の値とを比較し、双方が一致しない場合に誤り訂正部から出力されたＴＭＣＣ情報は誤っていると判断する。従って、誤り訂正部により誤り訂正成功と判断された場合でも、第１カウントダウン信号が誤っていれば、判断部により誤り訂正部から出力されたＴＭＣＣ情報は誤っていると判断される。従って、誤り訂正部により誤り訂正成功と判断されたにも拘わらず、誤り訂正部から出力されたＴＭＣＣ情報が誤っている場合に、そのＴＭＣＣ情報がパラメータの更新に利用されることを防止できる。
【発明の効果】
【００１１】
本発明によれば、パラメータの更新を正しいタイミングで確実に実施でき、ＯＦＤＭ復調装置の誤動作を防止できる。
【発明を実施するための最良の形態】
【００１２】
以下、図面を用いて本発明の実施形態を説明する。図１は、本発明の第１実施形態を示している。図２は、ＴＭＣＣ信号のビット構成を示している。図３は、図１のカウントダウン検出回路およびカウントダウン自走回路を示している。図１において、第１実施形態のＯＦＤＭ復調装置１０は、ＤＢＰＳＫ復調部１１、ＴＭＣＣデコード部１２、カウントダウン信号生成部１３およびエラーフラグ生成部１４を有している。なお、図１では、ＯＦＤＭ復調装置１０におけるＴＭＣＣ信号の処理に関連する部分のみを図示している。
【００１３】
ＤＢＰＳＫ復調部１１は、入力信号ＩＮに対してＤＢＰＳＫ方式の復調処理を実施することで、入力信号ＩＮに含まれるＴＭＣＣ信号を検出して出力する。例えば、入力信号ＩＮは、地上ディジタル放送信号（受信信号）を高速フーリエ変換して得られた信号である。また、ＴＭＣＣ信号は、図２に示すように、日本の地上ディジタル放送の規格であるＩＳＤＢ−Ｔ（Integrated Services Digital Broadcasting - Terrestrial）規格に準拠する２０４ビットの信号である。
【００１４】
図１において、ＴＭＣＣデコード部１２は、ＤＢＰＳＫ復調部１１から出力されるＴＭＣＣ信号中のＴＭＣＣ情報に対して差集合巡回符号の短縮符号を使用した誤り訂正処理を実施し、誤り訂正処理により得られたＴＭＣＣ情報（カウントダウン信号ＣＤＡおよびカウントダウン信号ＣＤＡを除くパラメータ信号ＰＡＲ）を出力する。また、ＴＭＣＣデコード部１２は、誤り訂正の成否を判断し、誤り訂正失敗と判断した場合にエラーフラグ信号ＥＦＡを活性化させる。なお、図示を省略しているが、ＯＦＤＭ復調装置１０には、ＤＢＰＳＫ復調部１１から出力されるＴＭＣＣ信号中の同期信号を検出し、フレームの先頭を示すフレームパルスを出力するフレーム同期部も設けられている。カウントダウン信号生成部１３は、カウントダウン検出回路１３ａ、カウントダウン自走回路１３ｂおよび出力回路１３ｃを有している。
【００１５】
図３において、カウントダウン検出回路１３ａは、バッファＢ０〜Ｂ１５、差分比較器Ｃ１〜Ｃ１５、個数認識回路ＲＥＣＡおよび比較器ＣＭＰを有している。バッファＢ０は、フレームパルスに同期して、カウントダウン信号ＣＤＡの値（受信カウントダウン値ＣＤＡ）を取得する。バッファＢｉ（ｉ＝１、２、・・・、１４、１５）は、フレームパルスに同期して、バッファＢｉ−１の保持値を取得する。
【００１６】
差分比較器Ｃｉは、バッファＢ０の保持値（今回の受信カウントダウン値ＣＤＡ）とバッファＢｉの保持値（”ｉ”回前の受信カウントダウン値ＣＤＡ）との差分が”ｉ”と一致する場合に比較結果信号ＣＲｉを活性化させる。個数認識回路ＲＥＣＡは、比較結果信号ＣＲ１〜ＣＲ１５における活性状態の比較結果信号の数を示す出力値ＮＵＭを出力する。比較器ＣＭＰは、個数認識回路ＲＥＣＡの出力値ＮＵＭがレジスタ等（図示せず）に設定された閾値以上である場合、カウントダウンが開始されたものと推定してカウント開始信号ＳＴを一時的に活性化させる。
【００１７】
カウントダウン自走回路１３ｂは、バッファＢＵＦおよび４ビットカウンタＣＮＴを有している。バッファＢＵＦは、フレームパルスに同期して、受信カウントダウン値ＣＤＡを取得する。カウンタＣＮＴは、カウントダウン信号ＣＤＢを出力する。カウントダウン信号ＣＤＢの値（生成カウントダウン値ＣＤＢ）は、カウンタＣＮＴのカウンタ値に相当する。カウンタＣＮＴは、カウント開始信号ＳＴの活性化に同期して、バッファＢＵＦの保持値（受信カウントダウン値ＣＤＡ）をカウンタ値（生成カウントダウン値ＣＤＢ）の初期値として取得する。カウンタＣＮＴは、カウント開始信号ＳＴの活性化後、アンダフローが発生するまで（カウンタ値が”０”から”１５”に変化するまで）、フレームパルスに同期してダウンカウント動作を実施する。また、カウンタＣＮＴは、カウント開始信号ＳＴの活性化後における最初のフレームパルスに同期してアクティブ信号ＡＣＴを活性化させ、アンダフローの発生に同期してアクティブ信号ＡＣＴを非活性化させる。
【００１８】
図１において、出力回路１３ｃは、アクティブ信号ＡＣＴの非活性期間に（カウンタＣＮＴＡの非動作中に）、カウントダウン信号ＣＤＡを選択してカウントダウン信号ＣＤとして出力する。出力回路１３ｃは、アクティブ信号ＡＣＴの活性期間に（カウンタＣＮＴＡの動作中に）、カウントダウン信号ＣＤＢを選択してカウントダウン信号ＣＤとして出力する。ＯＦＤＭ復調装置１０では、受信カウントダウン値ＣＤＡではなく、カウントダウン信号ＣＤの値（出力カウントダウン値ＣＤ）に基づいてパラメータの更新が実施される。また、出力回路１３ｃは、アクティブ信号ＡＣＴの活性期間に、受信カウントダウン値ＣＤＡと生成カウントダウン値ＣＤＢとを比較し、双方が一致しない場合にエラーフラグ信号ＥＦＢを活性化させる。
【００１９】
エラーフラグ生成部１４は、エラーフラグ信号ＥＦＡ、ＥＦＢの少なくともいずれかが活性化されている場合に、ＴＭＣＣデコード部１２から出力されるＴＭＣＣ情報（カウントダウン信号ＣＤＡおよびパラメータ信号ＰＡＲ）は誤っていると判断してエラーフラグ信号ＥＦを活性化させる。ＯＦＤＭ復調装置１０では、エラーフラグ信号ＥＦが非活性化されている場合に、パラメータ信号ＰＡＲがパラメータの更新に利用される。すなわち、ＯＦＤＭ復調装置１０では、エラーフラグ信号ＥＦが活性化されている場合には、パラメータ信号ＰＡＲはパラメータの更新に利用されない。
【００２０】
図４は、図１のカウントダウン信号生成部の動作を示している。まず、カウントダウン検出回路１３ａにおいて、バッファＢ０により受信カウントダウン値ＣＤＡが取得され（ステップＳ１）、比較器ＣＭＰにより個数認識回路ＲＥＣＡの出力値ＮＵＭが閾値以上であるか否かが判定される（ステップＳ２）。ステップＳ１、Ｓ２は、個数認識回路ＲＥＣＡの出力値ＮＵＭが閾値以上になるまで繰り返し実施される。
【００２１】
カウントダウン検出回路１３ａにおいて、個数認識回路ＲＥＣＡの出力値ＮＵＭが閾値以上になると、比較器ＣＭＰによりカウントダウンが開始されたと推定され、カウント開始信号ＳＴが一時的に活性化される。これにより、カウントダウン自走回路１３ｂにおいて、カウンタＣＮＴにより受信カウントダウン値ＣＤＡが生成カウントダウン値ＣＤＢの初期値として取得される（ステップＳ３）。そして、カウントダウン自走回路１３ｂにおいて、カウンタＣＮＴのダウンカウント動作により、生成カウントダウン値ＣＤＢが１だけ減算される（ステップＳ４）。これと同時に、出力回路１３ｃにおいて、カウントダウン信号ＣＤとして出力される信号が、カウントダウン信号ＣＤＡからカウントダウン信号ＣＤＢに切り換えられる。この後、カウントダウン自走回路１３ｂにおいて、カウンタＣＮＴによりアンダフローが発生したか否かが判定される（ステップＳ５）。ステップＳ４、Ｓ５は、カウンタＣＮＴのアンダフローが発生するまで繰り返し実施される。
【００２２】
図５は、第１実施形態における主要信号の動作波形を示している。図５において、受信カウントダウン値ＣＤＡが”１０”に設定されているとき（図５（ａ））、バッファＢ０、Ｂ１、Ｂ２の保持値は”１０”、”１１”、”１２”である。従って、差分比較器Ｃ１、Ｃ２から出力される比較結果信号ＣＲ１、ＣＲ２が活性化されており、個数認識回路ＲＥＣＡの出力値ＮＵＭが”２”に設定されている。閾値が”２”に設定されているものとすると、個数認識回路ＲＥＣＡの出力値ＮＵＭが閾値以上であるため、比較器ＣＭＰから出力されるカウント開始信号ＳＴが一時的に活性される（図５（ｂ））。これにより、生成カウントダウン値ＣＤＢが”１０”に設定される（図５（ｃ））。この後、生成カウントダウン値ＣＤＢは、カウンタＣＮＴのアンダフローが発生するまで、フレームパルスに同期して１ずつ減算される。また、カウント開始信号ＳＴの活性化後における最初のフレームパルスに同期してアクティブ信号ＡＣＴが活性化される（図５（ｄ））。これにより、出力カウントダウン値ＣＤとして出力される値が受信カウントダウン値ＣＤＡから生成カウントダウン値ＣＤＢに切り換えられる（図５（ｅ））。
【００２３】
従って、例えば、エラーフラグ信号ＥＦＡが非活性化されているにも拘わらず（図５（ｆ））、受信カウントダウン値ＣＤＡが”６”に設定されているべきところを”１２”に誤って設定されている場合でも（図５（ｇ））、生成カウントダウン値ＣＤＢは”６”に設定されているため（図５（ｈ））、出力カウントダウン値ＣＤも”６”に設定されている（図５（ｉ））。このとき、受信カウントダウン値ＣＤＡと生成カウントダウン値ＣＤＢとが一致しないため、エラーフラグ信号ＥＦＢが活性化される（図５（ｊ））。これに伴って、エラーフラグ信号ＥＦも活性化される（図５（ｋ））。従って、このときのパラメータ信号ＰＡＲがパラメータの更新に利用されることはない。
【００２４】
また、エラーフラグ信号ＥＦＡが活性化されており（図５（ｌ））、受信カウントダウン値ＣＤＡが”０”に設定されているべきところを”１”に誤って設定されている場合でも（図５（ｍ））、生成カウントダウン値ＣＤＢは”０”に設定されているため（図５（ｎ））、出力カウントダウン値ＣＤも”０”に設定されている（図５（ｏ））。従って、パラメータの更新が正しいタイミングで確実に実施される。
【００２５】
以上のような第１実施形態では、カウントダウン検出回路１３ａ（比較器ＣＭＰ）によりカウントダウンが開始されたと推定された後、カウントダウン自走回路１３ｂから出力されるカウントダウン信号ＣＤＢがカウントダウン信号ＣＤとして出力される。このため、ＴＭＣＣデコード部１５において、誤り訂正成功と判断されてエラーフラグ信号ＥＲＡが非活性化されているにも拘わらず、カウントダウン信号ＣＤＡが誤っている場合が存在しても、パラメータの更新を正確なタイミングで実施でき、ＯＦＤＭ復調装置１０の誤動作を防止できる。
【００２６】
また、受信カウントダウン値ＣＤＡと生成カウントダウン値ＣＤＢとが一致しない場合、カウントダウン信号生成部１３（出力回路１３ｃ）から出力されるエラーフラグ信号ＥＦＢが活性化されるため、エラーフラグ生成部１４から出力されるエラーフラグ信号ＥＦが活性化される。従って、ＴＭＣＣデコード部１２において、誤り訂正成功と判断されてエラーフラグ信号ＥＦＡが非活性化されているにも拘わらず、パラメータ信号ＰＡＲが誤っている場合に、そのパラメータ信号ＰＡＲがパラメータの更新に利用されることを防止できる。
【００２７】
図６は、本発明の比較例を示している。比較例を説明するにあたって、第１実施形態で説明した要素と同一の要素については、同一の符号を付して詳細な説明を省略する。比較例のＯＦＤＭ復調装置５０は、ＤＢＰＤＫ復調部１１およびＴＭＣＣデコード部１２を有している。ＯＦＤＭ復調装置５０では、受信カウントダウン値ＣＤＡに基づいてパラメータの更新が実施される。また、ＯＦＤＭ復調装置５０では、エラーフラグ信号ＥＦＡが非活性化されている場合に、パラメータ信号ＰＡＲがパラメータの更新に利用される。
【００２８】
以上のような比較例では、ＴＭＣＣデコード部１２において、誤り訂正成功と判断されてエラーフラグ信号ＥＦＡが非活性化されているにも拘わらず、カウントダウン信号ＣＤＡが誤っている場合に、パラメータの更新タイミングにずれが生じてＯＦＤＭ復調装置５０が誤動作してしまう可能性がある。
図７は、本発明の第２実施形態を示している。図８は、図７のカウントダウン検出回路およびカウントダウン自走回路を示している。第２実施形態を説明するにあたって、第１実施形態で説明した要素と同一の要素については、同一の符号を付して詳細な説明を省略する。図７において、第２実施形態のＯＦＤＭ復調装置２０は、第１実施形態のＯＦＤＭ復調装置１０に対して、カウントダウン信号生成部１３をカウントダウン信号生成部２３に置き換えて構成されている。第２実施形態のカウントダウン信号生成部２３は、第１実施形態のカウントダウン信号生成部１３に対して、カウントダウン検出回路１３ａおよび出力回路１３ｃをカウントダウン検出回路２３ａおよび出力回路２３ｃにそれぞれ置き換えて構成されている。
【００２９】
図８において、カウントダウン検出回路２３ａは、バッファＢ０〜Ｂ１５、選択回路ＳＥＬ、差分比較器ＣＣＯＭ、個数認識回路ＲＥＣＢおよび比較器ＣＭＰを有している。選択回路ＳＥＬは、バッファＢ１〜Ｂ１５の保持値を所定周期で順次選択して出力する。差分比較器ＣＣＯＭは、受信カウントダウン値ＣＤＡと選択回路ＳＥＬの出力値とを比較し、双方が一致する場合に比較結果信号ＣＲＣＯＭを活性化させる。個数認識回路ＲＥＣＢは、差分比較器ＣＣＯＭから出力される比較結果信号ＣＲＣＯＭを所定周期で１５回サンプリングし、サンプリング時に比較結果信号ＣＲＣＯＭが活性状態であった回数（第１実施形態での比較結果信号ＣＲ１〜ＣＲ１５における活性状態の比較結果信号の数に相当）を示す出力値ＮＵＭを出力する。図７において、出力回路２３ｃは、常にカウントダウン信号ＣＤＢをカウントダウン信号ＣＤとして出力することを除いて、第１実施形態の出力回路１３ｃと同一である。
【００３０】
図９は、第２実施形態における主要信号の動作波形を示している。この例は、常に生成カウンタダウン値ＣＤＢが出力カウントダウン値ＣＤとして出力されることを除いて、第１実施形態における主要信号の動作波形（図５）と同一である。
以上のような第２実施形態でも、第１実施形態と同様の効果が得られる。また、第２実施形態では、バッファＢ０の保持値とバッファＢ１〜Ｂ１５の保持値との差分比較を差分比較器ＣＣＯＭのみを用いて実施するため、第１実施形態に比べて、ＯＦＤＭ復調装置２０の小規模化を実現できる。
【００３１】
なお、第１および第２実施形態では、現在の受信カウントダウン値ＣＤＡを保持するためのバッファ以外に、過去の受信カウントダウン値ＣＤＡを保持するためのバッファを１５個設けた例について述べたが、本発明はかかる実施形態に限定されるものではない。例えば、過去の受信カウントダウン値ＣＤＡを保持するためのバッファの個数を閾値の上限以上で１５個より少なくしてもよい。
【００３２】
以上、本発明について詳細に説明してきたが、前述の実施形態およびその変形例は発明の一例に過ぎず、本発明はこれらに限定されるものではない。本発明を逸脱しない範囲で変形可能であることは明らかである。
【図面の簡単な説明】
【００３３】
【図１】本発明の第１実施形態を示すブロック図である。
【図２】ＴＭＣＣ信号のビット構成を示す説明図である。
【図３】図１のカウントダウン検出回路およびカウントダウン自走回路を示すブロック図である。
【図４】図１のカウントダウン信号生成部の動作を示すフロー図である。
【図５】第１実施形態における主要信号の動作波形を示すタイミング図である。
【図６】本発明の比較例を示すブロック図である。
【図７】本発明の第２実施形態を示すブロック図である。
【図８】図７のカウントダウン検出回路およびカウントダウン自走出回路を示すブロック図である。
【図９】第２実施形態における主要信号の動作波形を示すタイミング図である。
【符号の説明】
【００３４】
１０、２０‥ＯＦＤＭ復調装置；１１‥ＤＢＰＳＫ復調部；１２‥ＴＭＣＣデコード部；１３‥カウントダウン信号生成部；１３ａ、２３ａ‥カウントダウン検出回路；１３ｂ‥カウントダウン自走回路；１３ｃ、２３ｃ‥出力回路；１４‥エラーフラグ生成部；Ｂ０〜Ｂ１５、ＢＵＦ‥バッファ；Ｃ１〜Ｃ１５、ＣＣＯＭ‥差分比較器；ＣＭＰ‥比較器；ＣＮＴ‥カウンタ；ＲＥＣＡ、ＲＥＣＢ‥個数認識回路；ＳＥＬ‥選択回路
【図１】
0004680809.tif 000002
【図２】
0004680809.tif 000003
【図３】
0004680809.tif 000004
【図４】
0004680809.tif 000005
【図５】
0004680809.tif 000006
【図６】
0004680809.tif 000007
【図７】
0004680809.tif 000008
【図８】
0004680809.tif 000009
【図９】
0004680809.tif 000010